(57)【特許請求の範囲】
【請求項１】
ジャカードシステムを作動させるための部材にフックで接続されかつ少なくとも1 つのヘルドに接続されたコードに接続された一連の糸から成る型式のジャカードシステムのハーネスにおいて、
ハーネスは、ハーネスコードを通すために鑽孔されかつ前記ハーネスコードの軸線に対して平行な往復運動を行わせる作動機構と協働する機動制御部材から成り、一方前記ハーネスコードと糸の分解可能な接続を保証するために軸線方向に嵌合するようにされた雄要素及び雌要素によって形成されたカラーは、前記糸がアキシャル方向に通っている糸ガイドと協働して、機動制御部材の往復運動の作用の下にロックされ及びロックを外されるように配列されていることを特徴とする前記ハーネス。
【請求項２】
作動機構は、鑽孔ボードによって構成された機動制御部材が取り外し可能に固定されるフレームを制御するために、一方又は他方に回転駆動されるように、相互に連動して動くように取り付けられるねじ付ロッド( １９）から成る請求項1 記載のハーネス。
【請求項３】
各カラーの雌要素がジョウ要素から成り、ジョウ要素のグリップ部は前記雄要素の端に設けられている銛先端の後方に直接相応する雄要素をクランプするように形成されており、雄要素は更に前記グリップの開閉を制御するための軸線方向に運動可能なリング又はシャトルから成る、請求項1 記載のハーネス。
【請求項４】
システムの鑽孔ボードに固定された各糸ガイドがジョウ要素から成り、ジョウ要素のグリップ部が相応するカラーの雄要素の首部に係合するようにされている、請求項1 記載のハーネス。
【請求項５】
カラーとヘルドの間に挿入されたコードが防振安定器として作用する剛体ロッドによって構成されている、請求項1 記載のハーネス。
【請求項６】
機動制御部材が鑽孔ボードである請求項1 記載のハーネス。
【発明の詳細な説明】
【０００１】
【発明の属する技術分野】
本発明は、織機における開口形成のためのジャカードシステム、特に竪糸を制御するためのこれらのジャカードシステムを作動させるための機動部材に連結されたハーネスに関する。
【０００２】
【従来の技術】
従来の構成において、ハーネスはジャカードシステムを作動させる部材の数と等しい数の糸から成り、これらの糸の各々は１つ又は複数のヘルドに接続された１つ又は複数のハーネスコードに接続されている。糸及びコードはスナップ部材によって接続されておりそして修理又は交換のためにハーネスを分解することはスナップの数千の手動操作を必要とすることが既に認識されている。操作は長くかつ厄介である。
【０００３】
【発明が解決しようとする課題】
本発明は、これらの欠点を除去し、１つの部材の手動又は機動操作が全てのハーネス及びジャカードシステムを作動させる機動部材の断続を作用するようにハーネスを構成することである。
【０００４】
【課題を解決するための手段】
本発明の課題は、本発明によれば、特許請求の範囲第１項の構成、即ちジャカードシステムを作動させるための部材にフックで接続されかつ少なくとも1 つのヘルドに接続されたコードに接続された一連の糸から成る型式のジャカードシステムのハーネスにおいて、ハーネスはハーネスコードを通すために鑽孔されかつ前記ハーネスコードの軸線に対して平行な往復運動を行わせる作動機構と協働する機動制御部材から成り、一方前記コードと糸の分解可能な接続を保証するために軸線方向に嵌合するようにされた雄要素及び雌要素によって形成されたカラーは、前記糸によってアキシャル方向に移動される糸ガイドと結合して、機動制御要素の往復運動の作用の下にロックされ及びロックを外されるように配列されていることを特徴とする前記ハーネスによって解決される。
【０００５】
【発明の実施の形態】
図面、先ず図１を参照すれば、符号１は構造物２によって織機上に支持されたジャカード型のベルドル（ＶＥＲＤＯＬ）の織りシステムを示す。システム１の下部分は前記システムの糸４の数と等しい数の一連の糸ガイド３を備える。各糸４は１つ又は複数のヘルド９にクリップ部材８によって接続される制御ボードを通るハーネスコード６上に分解可能なカラー５によって組立られるように相応する糸ガイド３をアキシャル方向に通る。これらのヘルドは鑽孔された固定ボード１０によって案内され、鑽孔された固定ボード１０の下方でヘルド９の各々は目板１１を通りかつ織機（図示しない）の下方に位置決めされた底ボード１２にフックで止められた復帰ばね９ｂに取付けられる前で糸案内環９ａを支承する。
【０００６】
本発明によるハーネスは符号３〜１２で表された要素又は部材から成る。
各カラー５は２つの部分、即ち相応すハーネスコード６と固着された雌要素１３とその下方部分が雌要素１３と協働する雄要素１４とから成り、一方その上方部分は糸ガイド３の１つに嵌合されるようになる。
特に図３に示されたように、雌要素１３は、弾性変形可能な半剛体合成材料を成形することによって得られる。その上方の開口の下に、この部分１３は相互に無関係な２つの対向するジョウ要素１３ａを特定するように縦方向にスロットを切られており、その下方部分は僅かに凹面の輪郭のグリップ１３ｂを形成するように湾曲している。
【０００７】
雄要素１４は剛固プラスチック材料から作られた円筒状部分によって構成されており、その下端は銛先端１４ａを形成するように大きな直径を有する（図２）。この突出する銛先端１４ａに続く小さい直径の円筒状部分には、リング又はシャトル１４ｂが自由に滑動する。部分１４の上方部分は直径が減少しかつそこに窪みを付けられた首部１４ｃを有する。この上方部分はシステムの糸４の１つの端を受けかつ保持するために、アキシャル方向に中空にされており、同様な方法でカラーの雌要素１３の下部はハーネスコード６の端を受けかつ保持するように構成されている。
【０００８】
各糸ガイド３は弾性変形可能な合成材料から成る管状部材によって構成され、糸部材は固定される上方シャンク３ａの下方に、例えば弾性クリップ部材によって、糸４を通すためのシステム１の床部に形成された従来の低部開口の１つに、上方を向いた２つの対向するジョウ要素３ｂを特定するために、縦方向に分割されている。これらのジョウ要素３ｂの各々の上端は後に説明するように、雄要素１４の首部１４ｃと協働するようにされた端グリップ部材３ｃを構成するように形成されている。図４は２つのジョウ要素３ｂによって形成されたクランプ部の構成を示し、ジョウ要素にはシステム１の糸４の１つがアキシャル方向に通されている。
【０００９】
コード６とヘルド９との間の接続を保証するクリップ部材８は従来の型であり、従って詳しく記載しない。コード６の各々は図１及び図５に示すように、制御ボード７の端に形成された開口７ａを自由に通るように制御ボードに嵌入している。開口７ａは、後にもっと詳しく説明するように、クリップ部材８の外径よりも僅かに小さい内径を有する。
【００１０】
本発明によるハーネスの必須の部分を形成する制御ボード７は、図１中一点鎖線１６と１７によって表された２つのレベルの間の往復垂直偏倚を保証するようにされた昇降機構と協働する機動フレーム１５に分解可能に固定されている。
図１及び図５に示す実施形態において、この昇降機構は小型ギアードモータ１８から成り、ギアードモータは一方向又は他方向に回転するようにシステム１に対して横に固定され、ギアードモータは、ねじ付ロッド１９上に嵌合さた４つのスプロケット２１の間に巻掛けられたチェーン２０によって、垂直に向けられかつ相互に接続された４つのねじ付ロッド１９の１つに接続している。これらのねじ付ロッドの各々は近くでフレーム１５中に埋設された相応するナットと協働し、その際４つのねじ付ロッド１９が相互に連動して動くように配設され、その結果ギアードモータ１８は制御ボード７の垂直偏倚を保証する。
【００１１】
上記の昇降機構はギアードモータ１８の代わりにクランクによって手動的に操作される又は油圧複動ジャックのシステムによって置換されることもできる。
システム１が作動状態にある場合、本発明によるハーネスの糸の各々は図６に示す位置にある。突出するほ銛先端１４ａは雌要素１３と嵌合しかつアキシャル方向位置にあり、その結果下方のグリップ部材１３ｂはその個所に保持される前記銛先端の直ぐ上方に位置する（図６Ａ）。それから制御ボード７はそのストロークの低いレベルに位置し、その結果各カラー５は糸ガイド３によっても前記制御ボード７によっても阻止されることなしに垂直に往復運動し、一方各糸４はそのハーネスコード６に固着されている。
【００１２】
ハーネスの分解が必要な場合、オペレータはフレーム１５及びボード７を上方に偏倚させるために昇降機構を操作する。この上昇運動において、制御ボード７の上面は雌要素１３の各々の下方部分の端に設けられた環状肩１３ｃに突き当たりかつ全てのカラー５をアキシャル方向上方に押す。この上昇運動が続くと、ジョウ要素１３ａのグリップ部材１３ｂはリングまたはシャトル１４ｂを上昇させつつ、端１４ｂを被嵌されている円筒状部分１４ｄ（図７Ａ）に沿って滑る。同時にこの部材１４の上端はそのグリップ部材３ｃが首部１４ｃを把持しかつ環状肩１４ｅがこの糸ガイド３（図７）の下縁に突き当たるまで、糸ガイド３の内側に係合している。
【００１３】
制御ボード７の２２で表されかつロッキングレベルとされるレベルに相応して、全てのカラー５は同一の高さに位置する。
フレーム１５及び制御ボード７はそれらのストロークのレベル１６に達するまで、その上方偏倚を継続する。この運動において、部材１４は糸ガイド３に対する肩１４ｅの当接のために上方へ移動することができない。この条件で、カラー５の雌要素１３のみが上方へ移動する（図８）。シャトル１４ｂがストロークの上端に達すると（図８Ａ）、その開口が前記シャトル１４ｂの円錐状の下縁によって案内された後、グリップ部材１３ｂはシャトル１４ｂを把持し、シャトル１４ｂは図８Ｂに示すように、アキシャル方向に確り接続される。
【００１４】
ギアードモータ１８の回転方向は制御ボード７に対する作用のために反転される。ヘルド９と協働する復帰ばね９ｂは、シャトル１４ｂがグリップ部材１３ｂによって尚クランプされていて、グリップ部材自体の下方への偏倚に追従する（図９Ａ）結果、制御ボード７の下降に続いて、要素１３を下方へ運動させる（図９Ａ）。下降運動の所定の点で、シャトル１４ｂは銛先端１４ａ（図９Ａ）の上面に固定され、銛先端は前記グリップ部材１３ｂの高さがシャトルの下部の円錐状部分の高さよりも高いことにより、グリップ部材１３ｂの銛先端１４ａの大きな直径の部分へ係止を防止し、図９Ｃに記載された方法で相互に接近する方向に運動する。
【００１５】
部材１４は糸ガイド３のクランプによって上方位置にロックされているので、制御ボード７及び雌要素１３のレベル２４に続く下方偏倚が図１０に示される方法で要素１３及び１４の分離を行わせる。
そのレベル２４では、ばね９ｂの張力は弛緩され、その結果制御ボード７は、上方位置に動かされた糸ガイド３及び部材１４を除いて、機動フレーム１５及びハーネスのアセンブリとの接続を絶たれて、分解位置に外される。
【００１６】
このハーネスは、レベル２４から下降するストロークによって追従される上昇ストロークをボード７に作用させることによって組みつけられ、上昇ストロークはフック２２のレベルを越えず、プロセスの位相は分解のために行われたと反対方向に行われる。図１０Ａは端１４ｂ及びシャトルの上昇のレベルでグリップ部材１３ｂとは無関係に図示され、前記グリップ部材１３ｂは図６の位置において銛先端１４ａの上方にロックされる（図６Ａ）。ハーネスの相異なる２つのカラー５を構成する２つの要素が一度相互にロックされると、図１１の最低レベル２５に対する制御ボード７の下降運動を継続することを困難になる。図示のように、制御ボード７の下面がクリップ部材８に当接し、クリップ部材を離して糸ガイド３のジョウ３ｂを解放させる牽引力をコード６及び部材１４上に作用する。レベル１７までの制御ボード７の極く僅かな上昇によって、図１及び図６による通常の作動位置が得られる。
【００１７】
従って本発明は、その組立及び分解操作が１つの昇降機構の機動のみしか必要とせず、こうして複数の連結スナップ部材又はクリップ部材の煩雑な操作を回避するハーネスを提供する。上記のレベルの間の制御ボード７の相異なるストロークが従来の型式の位置決め部材によって決定されることは勿論である。
糸ガイド３及びカラー５の雌要素１３に含まれるクランプ部材は２つ以上のジョウ要素から成ることもできる。更に、カラー５の要素１３及び１４の配列がジョウ要素１３ａの適当な操作によって反転されることもできる。
【００１８】
更にハーネスコード６が糸４と同一の補完要素によってではなく、横振動の安定化を保証する剛体ロッドによって有利に構成されることが注目される。
図１２は図１による固定の鑽孔ボード１０が省略された本発明の他の実施形態を示し、ガイドの役割は鑽孔された制御ボード７によって達成される。しかし、明らかに簡単なこの解決は、上記の実施形態のクリップ部材８の挿入なしに、連結操作の端で糸ガイド３からカラー５の抜き出しを行わせるに充分なアキシャル方向の力を作用するヘルドと協働する復帰ばね９ｂの場合にのみ適する。
【図面の簡単な説明】
【図１】図１は、本発明によるハーネスを備えた織機の図式的側面図である。
【図２】図２は、協働する保持糸ガイドと同様にハーネスのアセンブリカラーの１つを構成する２つの要素の軸線部分断面図である。
【図３】図３は、図２によるカラーの雌要素の配列を示す図である。
【図４】図４は、糸ガイドの配列を示す図である。
【図５】図５は、図１のＶ−Ｖ線に沿うハーネスの図式的水平拡大断面図である。
【図６】図６は、ハーネスの係合、係脱のプロセスの位相を示す軸線断面図であり、図６Ａはこれらの位相でのカラーの部分の位置を示す拡大図である。
【図７】図７は、ハーネスの係合、係脱のプロセスの位相を示す軸線断面図であり、図７Ａはこれらの位相でのカラーの部分の位置を示す拡大図である。
【図８】図８は、ハーネスの係合、係脱のプロセスの順次の位相を示す軸線断面図であり、図８Ａ、図８Ｂはこれらの位相でのカラーの部分の位置を示す拡大図である。
【図９】図９は、ハーネスの係合、係脱のプロセスの順次の位相を示す軸線断面図であり、図９Ａ、図９Ｂ、図９Ｃはこれらの位相でのカラーの部分の位置を示す拡大図である。
【図１０】図１０は、ハーネスの係合、係脱のプロセスの位相を示す軸線断面図であり、図１０Ａはこれらの位相でのカラーの部分の位置を示す拡大図である。
【図１１】図１１は、ハーネスの係合、係脱のプロセスの位相を示す軸線断面図である。
【図１２】図１２は、本発明の別の実施形態を示す図であって図１に相応する図である。
【図１】
0003704185.tif 000002
【図２】
0003704185.tif 000003
【図３】
0003704185.tif 000004
【図４】
0003704185.tif 000005
【図５】
0003704185.tif 000006
【図６】
0003704185.tif 000007
【図７】
0003704185.tif 000008
【図８】
0003704185.tif 000009
【図９】
0003704185.tif 000010
【図１０】
0003704185.tif 000011
【図１１】
0003704185.tif 000012
【図１２】
0003704185.tif 000013